(57)【特許請求の範囲】
【請求項１】
透水性表面シートと不透水性裏面シートとの間に吸水性コアが介在し、前記コアの前後両端縁から延出する少なくとも前記裏面シートが前後身頃各々の胴周り端部を構成する使い捨ておむつであって、
少なくともいずれか一方の前記胴周り端部の幅方向中央域において、一端部が前記裏面シートの端縁から前記コアの端部に重なる部位まで延出するとともにこの一端部が前記重なる部位で折り返されて前記裏面シートの端縁方向へ延出する対向端部を成す通気防水性シートを設け、この通気防水性シートの前記一端部と前記対向端部とをその折り返し部分の近傍で前記コアの端部に重なる部位から前記一端部の前記コアを外れた部位にかけて互いに接合するとともに前記一端部を前記裏面シート上面にその端縁から股下部方向へ接合し、その対向端部には前記おむつの幅方向に延びる弾性部材を伸長下に貼着しかつ前記対向端部の左右両側を実質的に前記裏面シート上面に固定して伸縮性をもたせ、前記表面シートはその端縁を前記裏面シートの端縁よりもおむつ内側に位置せしめ、前記通気防水性シートにその折り返し部分の近傍で接合し、前記通気防水性シートが前記弾性部材の伸縮により、体液の胴周り端部からの滲出を防止することを特徴とする前記おむつ。
【発明の詳細な説明】
【０００１】
【産業上の利用分野】
この発明は、使い捨ておむつに関する。
【０００２】
【従来の技術】
従来、使い捨ておむつの胴周り開口部からの排泄物の漏れを防止するため、その開口部近傍の吸収体を不透水性シートで被覆したり、その開口部に伸縮部材を取付けたりする技術は周知である。また、実公平３−２４１７５号公報には、使い捨ておむつの背側胴周りにおいて、通気防水性シートの内端と左右両側端とを透水性表面シートの上面に接合して前記漏れを防止する技術が開示されている。
【０００３】
【発明が解決しようとする課題】
前記公知技術のおむつでは、表面シートの上面を背側胴周りに向かって流れる排泄物を防水性シートで塞き止めることができる。しかし、防水性シートは表面シートの上面に接合してあるから、その表面シートが親水性の不織布でできている場合には、表面シートの内部を胴周りに向かって拡散する体液を止めることができない。その結果、体液が胴周り端縁から滲出するという問題を生じることがある。
【０００４】
そこでこの発明は、使い捨ておむつの胴周り端縁部において、通気防水性シートを不透水性裏面シートの内面に接合することによって前記問題を解決することを課題にしている。
【０００５】
【課題を解決するための手段】
この発明が前記課題を解決するために手段とするところは、以下のとおりである。
【０００６】
この発明においては、透水性表面シートと不透水性裏面シートとの間に吸水性コアが介在し、前記コアの前後両端縁から延出する少なくとも前記裏面シートが前後身頃各々の胴周り端部を構成する使い捨ておむつを前提にしている。
【０００７】
かかる前提において、少なくともいずれか一方の前記胴周り端部の幅方向中央域において、一端部が前記裏面シートの端縁から前記コアの端部に重なる部位まで延出するとともにこの一端部が前記重なる部位で折り返されて前記裏面シートの端縁方向へ延出する対向端部を成す通気防水性シートを設け、この通気防水性シートの前記一端部と前記対向端部とをその折り返し部分の近傍で前記コアの端部に重なる部位から前記一端部の前記コアを外れた部位にかけて互いに接合するとともに前記一端部を前記裏面シート上面にその端縁から股下部方向へ接合し、その対向端部には前記おむつの幅方向に延びる弾性部材を伸長下に貼着しかつ前記対向端部の左右両側を実質的に前記裏面シート上面に固定して伸縮性をもたせ、前記表面シートはその端縁を前記裏面シートの端縁よりもおむつ内側に位置せしめ、前記通気防水性シートにその折り返し部分の近傍で接合し、前記通気防水性シートが前記弾性部材の伸縮により、体液の胴周り端部からの滲出を防止することがこの発明の特徴である。
【０００８】
【作用】
このように構成した使い捨ておむつでは、胴周り端縁部の中央域を不透水性裏面シートと通気防水性シートとでつくり、透水性表面シートはその端縁が裏面シートの端縁よりも内側に位置するようにして、それを通気防水性シートに接合したから、表面シートは胴周り端縁にのぞくことがなく、表面シートの中を拡散する体液をその防水シートで止めて、胴周り端縁からの体液の滲出を防ぐことができる。
【０００９】
【実施例】
この発明に係る使い捨ておむつの詳細を添付の図面を参照して説明すると、以下のとおりである。
【００１０】
図１、２は、使い捨ておむつ１の部分破断斜視図と、そのＩＩ−ＩＩ線断面図である。おむつ１は、透水性表面シート２と、不透水性裏面シート３と、それら両シート２，３間に介在する吸水性コア４とからなり、その長手方向は前身頃６と、後身頃７と、それら両身頃６，７間に介在する股下部８とからなる。前後身頃６，７の左右両側には、表裏面シート２，３を接合してなる翼部９Ａ，９Ｂがあり、前後身頃６，７のいずれか一方の端部中央域５Ａ，５Ｂには胴周り方向に延びる弾性伸縮部１０，１１がある。股下部８には脚周り方向に延びる弾性伸縮部材１２，１３が表裏面シート２，３間にあって、そのいずれかに伸長状態で接合してある。表裏面シート２，３がコア４の周縁から延出して互いに重なり合う部分は、水密に接合してある。後身頃７の左右両側には慣用のテープファスナ１４が取付けてある。
【００１１】
弾性伸縮部１０と１１とは構造が同じであって、例えば該部１１の詳細は図２のとおりである。伸縮部１１は、裏面シート３と、その上面にホットメルト接着剤１６を介して水密に接合する通気防水性シート１５とで構成されており、その通気防水性シート１５は一端部１５Ａが裏面シート３上面の端縁部３Ａに始まって股下部８方向へ延び、コア４の端部に重なるとともにコア４の上面に簡単にずれ動くことがないように接合してある。一端部１５Ａは折曲線１７で折り返され、裏面シート３の端縁方向へ延出して対向端部１５Ｂを成している。その折曲線１７近傍において、図２に示すように、一端部１５Ａのコア４の端部に重なる部位からコア４を外れた部位にかけて互いに向かい合う一端部１５Ａと対向端部１５Ｂとが接着剤１６で接合してある。対向端部１５Ｂの残余の部分は自由端部２０であって、そこには弾性部材２１をおむつ１の幅方向に伸長下に貼着し、自由端部２０の幅狭い折り返し部分２２で被覆してある。表面シート２は、その端縁２Ａが裏面シート３の端縁３Ａよりもおむつ内側にあり、コア４の上で通気防水性シート１５の折り返し部分に上から接合してある。なお、図１に示すように表面シート２は、伸縮部１１において凹型に切り欠かれ、その切り欠かれた左右両側に翼部９Ａ，９Ｂがある。通気防水性シート１５の左右は各翼部９Ａ，９Ｂの近傍にまで延びてその先端部が表裏面シート２，３に挟まれ、かつ、そのいずれかに接合し、さらに要すればシート１５の折り返し部分を互いに接合することにより、シート１５が実質的に裏面シート３に固定してある。
【００１２】
おむつ１において、透水性表面シート２には、公知ないし周知の疎水性または親水性の不織布や必要に応じて親水化処を施した開孔プラスチックフィルムを使用し、不透水性裏面シート３には、プラスチックフィルム、好ましくは通気不透水性のプラスチックフィルムを使用する。吸水性コア４には粉砕パルプや粉砕パルプと高吸水性ポリマーとの混合物を使用する。通気防水性シート１５には、熱可塑性合成樹脂を原料とし、ＪＩＳ−Ｌ１０７９Ａに基づく通気度が５０ｃｃ／ｃｍ２／ｓｅｃ以上であり、かつ耐水度が４０ｍｍ／Ｈ２Ｏ以上の不織布や通気性フィルムを使用する。かかるシート１５は、周知慣用の素材を使用した表面シート２よりも一般に水の透過性、拡散性が低い。おむつ１における各部材の接合には、ホットメルト接着剤等を使用する接着技術の他に、熱融着の技術を利用することができる。
【００１３】
このように構成したおむつ１を着用すると、通気防水性シート１５の自由端部２０が胴周りに密着し、その自由端部２０を外から裏面シート３が覆っている。裏面シート３とそれに接合したシート１５の一端部１５Ａとの間には、胴周り方向に弾性部材２１より伸縮力の弱い弾性部材を貼着し、裏面シート３に弱い伸縮性をもたせ、肌に密着した自由端部２０との間に大きな間隙が生じないようにすることもできる。排泄があると、体液は表面シート２やコア４の中で拡散するが、伸縮部１０，１１では通気防水性シート１５の存在によってその拡散が止まり、胴周り端縁から滲出することがない。
【００１４】
図３は、おむつ１の実施態様の一例を示す図２と同様の図面である。このおむつ１では、表面シート２がコア４の端縁４Ａから僅かに延出し、その延出した部分が通気防水性シート１５の下にあって裏面シート３とシート１５とに接着剤１６で接合している。通気防水性シート１５は、コアの端縁４Ａの手前にある折曲線１７で折り返し、それと向かい合うシート１５の一端部１５Ａの上面に接合し、自由端部２０は折曲線１７と平行な折曲線１８で股下部８方向へ折り返してある。折曲線１７，１８で折り返した通気防水性シート１５の左右両側は重なり合うシート１５どうしを互いに接合するとともに、表面シート２上面に接合してある。表裏面シート２，３は互いに重なり合う部分で接合しているから、通気防水性シート１５は実質的に裏面シート３に対し固定された状態にある。このおむつ１では、弾性部材２１が収縮すると、通気防水性シート１５の自由端部２０が図示したようにおむつ１上面から起立して股下部８へ向かって開口するポケット２５を形成する。したがって、このおむつ１は、着用者が横臥していて排泄物が股下部１８から胴周り端部へと流れた場合でも、その流れを効果的に止めて漏れを未然に防ぐことができる。
【００１５】
【発明の効果】
この発明に係るおむつでは、前後身頃の少なくともいずれか一方の胴周り端部中央域に弾性伸縮部を設け、該部において裏面シート上面に通気防水性シートを接合するとともに、表面シートの端縁を裏面シートの端縁より内側に設けて通気防水性シートに接合したから、端部中央域における端縁からの体液の滲出を防止することができる。
【図面の簡単な説明】
【図１】おむつの部分破断斜視図。
【図２】図１のＩＩ−ＩＩ線断面図。
【図３】実施態様の一例を示す図２と同様の断面図。
【符号の説明】
１    おむつ
２    表面シート
３    裏面シート
４    コア
８    股下部
１０，１１    弾性伸縮部
１５    通気防水性シート
１５Ａ  一端部
１５Ｂ  対向端部
２１    弾性部材
【図１】
0003605426.tif 000002
【図２】
0003605426.tif 000003
【図３】
0003605426.tif 000004